(57)【要約】      （修正有）【課題】スイングディスプレイ装置において、ディスプレイ要素の動きが妨げられた場合に、事故が起こらないように駆動部との連結を解くとともに、ディスプレイ要素に対する障害がなくなったときには自動的にもとの状態に復帰できるようにする。【解決手段】ディスプレイ装置Ｘとして、回動軸２１回りを一定の回転角をもって往復回動運動をする駆動部と、前記駆動部に一端側で連結し、前記回動軸回りに往復運動をする棒体又は板体からなるアーム部５０と、前記駆動部と前記アーム部とを摩擦力又は磁力により連結する連結構造であって、所定以上の力を加えることで前記アーム部と前記駆動部とが連結部において互いに前記回動軸回りに摺動するように連結する連結構造と、前記アーム部の前記駆動部による想定される往復運動軌道の両最外部位置において、前記アーム部に当接もしくは近接する規制部材７０とを設ける。【選択図】図２
0003148200.tif 000002
【実用新案登録請求の範囲】
【請求項１】
回動軸回りを一定の回転角をもって往復回動運動をする駆動部と、
前記駆動部に一端側で連結し、前記回動軸回りに往復運動をする棒体又は板体からなるアーム部と、
前記駆動部と前記アーム部とを摩擦力又は磁力により連結する連結構造であって、所定以上の力を加えることで前記アーム部と前記駆動部とが連結部において互いに前記回動軸回りに摺動するように連結する連結構造と、
前記アーム部の前記駆動部による想定される往復運動軌道の両最外部位置において、前記アーム部に当接又は近接する規制部材と
を有するディスプレイ装置。
【請求項２】
前記連結構造は、前記駆動部と前記アーム部とを摩擦力により連結するものであって、当該摩擦力を調整可能に形成されるものである請求項１に記載のディスプレイ装置。
【考案の詳細な説明】
【技術分野】
【０００１】
本考案は、屋内外に設置される、往復回転運動を行うディスプレイ装置であって、人等への危害及び駆動装置の破損を防止する構造を備えたものに関する。
【背景技術】
【０００２】
店舗やイベントなどにおける広告やアイキャッチを目的としたディスプレイ装置において、人形等のディスプレイ要素が動くように構成されたディスプレイ装置がある。このようなディスプレイ装置は、モーターによる回転によりディスプレイ要素を回転させたり、回転運動をクランクやカムなどを用いて往復運動などに換えてディスプレイ要素を動かしたりするような構成を有する。
このようなディスプレイ装置は、人が触ることができるような状態で設置されると、人が動くディスプレイ要素を手でつかんだりすることで、装置が破損したり、人が怪我をしたりする可能性がある。このような事故を防止するために、下記特許文献１には、一定以上の力がディスプレイ要素に加わるとクラッチが切れることで、駆動力がディスプレイ要素に伝わらなくする構造が示され、下記特許文献２には、回転するディスプレイ要素と駆動部とを摩擦力を利用して連結することで、一定以上の力を加えるとディスプレイ要素と駆動部との連結部が滑ることで駆動力がディスプレイ要素に伝わらなくする構造が示されている。
【特許文献１】実開平５−６３１７１号公報
【特許文献２】実用新案登録第３０９６３４０号公報
【考案の開示】
【考案が解決しようとする課題】
【０００３】
ところで、ディスプレイ装置にはディスプレイ要素が往復運動をする所謂スイングディスプレイ装置がある。このようなスイングディスプレイ装置において、数百ｇ〜数Ｋｇの重い構成要素をスイングさせると左右の停止点でかなりの慣性力が働くため、特許文献１もしくは２に示すように回転力の伝達を遮断する位置は、モーターの回転軸部分よりも、スイングするディスプレイ要素の直近の回動軸部分で行うことが望ましい。しかし、ディスプレイ要素に直近の回動軸部分でディスプレイ要素との駆動力を伝わらなくすると、接合が元の状態に戻ったときに、ディスプレイ要素とクランク等との連結位置が元の状態からずれてしまう場合がほとんどであり、人の手で位置調整を行わなければならないという問題が生じる
本考案はこのような問題に鑑みて、所謂スイングディスプレイ装置において、ディスプレイ要素の動きが妨げられた場合に、事故が起こらないように駆動部との連結を解くとともに、ディスプレイ要素に対する障害がなくなったときには自動的にもとの状態に復帰できるようなディスプレイ装置を提供することを課題とする。
【課題を解決するための手段】
【０００４】
上記課題を解決するために、本考案は次のような構成を有する。
請求項１に記載の考案は、回動軸回りを一定の回転角をもって往復回動運動をする駆動部と、前記駆動部に一端側で連結し、前記回動軸回りに往復運動をする棒体又は板体からなるアーム部と、前記駆動部と前記アーム部とを摩擦力又は磁力により連結する連結構造であって、所定以上の力を加えることで前記アーム部と前記駆動部とが連結部において互いに前記回動軸回りに摺動するように連結する連結構造と、前記アーム部の前記駆動部による想定される往復運動軌道の両最外部位置において、前記アーム部に当接もしくは近接する規制部材とを有するディスプレイ装置である。なお、前記アーム部と前記駆動部との連結部における前記回動軸回りの摺動は、アーム部と前記駆動部とが直接接して摺動する場合に限定されるものではなく、それぞれが、連結構造の構成要素に対して摺動する場合や、一方に固定された要素に対して他方が摺動する場合が含まれる。
請求項２に記載の考案は、前記ディスプレイ装置において、前記連結構造は、前記駆動部と前記アーム部とを摩擦力により連結するものであって、当該摩擦力を調整可能に形成されるものである。
【考案の効果】
【０００５】
以上のような構成により請求項１に記載の考案は次のような作用効果を奏する。まず、アーム部にディスプレイ要素を固定し、駆動部を動かすと、駆動部に連結するアーム部及びこれに固定されるディスプレイ要素は回動軸周りに往復運動をする。そして、ディスプレイ要素もしくはアーム部に一定以上の負荷が加わると、連結構造によりアーム部と駆動部とは連結部において摺動することで、アーム部及びディスプレイ要素の動作は停止し、同時に、駆動部に過度の負荷が掛かることが防がれる。その後、アーム部にかかる負荷が取り除かれると、摩擦力もしくは磁力によりアーム部と駆動部は連結しているので、これらは互いに連結をするが、アーム部の位置は多くの場合ずれた状態となる。ここで、ずれた状態のアーム部が駆動部により往復運動をすると、往復運動の過程において、いずれかの規制部材に当接することとなる。ここで、再び、アーム部に一定以上の力が加わることとなるので、アーム部と駆動部とは連結部で摺動する。駆動部が回動を反転させるとアーム部は規制部材による規制を受けなくなるので、再び、摩擦力もしくは磁力により駆動部とアーム部とは連結する。この連結位置は、規制部材が設けられている位置が、前記アーム部の想定される往復運動軌道の両最外部において、前記アーム部に当接もしくは近接する位置であり、アーム部はこの位置から反転動を開始することになるので、アーム部の位置はほぼ想定される位置に復帰することとなる。
このように、本考案は、ディスプレイ要素が固定されるアーム部に一定の負荷がかかるとアーム部と駆動部とが連結部で摺動することで連結がきれて、事故の防止と駆動部への過度の負荷を抑制することができるとともに、負荷がなくなるとアーム部を想定された位置に復帰させることができる。
請求項２に記載の考案は、アーム部と駆動部との連結を摩擦力により行うとともに、これを調節可能とすることで、アーム部に取り付けるディスプレイ要素の重量等に応じて、アーム部と駆動部とが連結部において互いに摺動する力を調節することができる。
【考案を実施するための最良の形態】
【０００６】
以下、本考案の実施形態について、図を参照しながら説明する。
図１に本実施形態に係るディスプレイ装置Ｘを模式的に表す斜視図を示し、図２にディスプレイ装置Ｘの正面図を示す。ディスプレイ装置Ｘは、本体部１０、モーター２０、クランク３０、固定軸４０、アーム部５０、アーム連結部６０、ストッパー７０とから構成される。
本体部１０は、垂直に立った板体１１の下縁に脚となる板体１２を水平に固定したものである。本体部１０の構造は機構部分を所定の状態で固定できるものであれば、どのようなものでもよく、箱状等種々の変形が可能である。
モーター２０はギヤードモーターであり、本体部１０の板体１１に回動軸２１を正面側に突出させるように、背面側に固定される。
【０００７】
クランク３０は、モーター２０の回転軸２１に一端側が固定される細長い板体からなる第１クランクアーム３１、後述する固定軸４０に一端側が回動自在に固定される細長い板体からなる第３クランクアーム３３、第１クランクアーム３１と、第３クランクアーム３３の自由端のそれぞれにおいて両端近傍が回動自在に連結される細長い板体からなる第２クランクアーム３２とから構成される。このような構成によりモーター２０の回転により第３クランクアーム３３の固定軸４０に固定される端部は、一定の回転角をもって往復回転運動を行う。即ち、この第３クランクアーム３３の固定軸４０に固定される端部は駆動部を構成する。なお、クランク３０はモーター２０の回動を固定軸４０位置での回転往復運動に変換するためのものであり、このような変換を行えるものであればどのような機構でも採用することができる。
固定軸４０は、本体部１０の板体１１に形成される雌ねじに係合する雄ねじ４１により形成される。固定軸４０は第３クランクアーム３３と、後述するアーム部５０の回動軸となる。
アーム部５０は、第３クランクアーム３３とほぼ同様の構成をしており、基端側で固定軸４０に回動可能に固定されている。また、アーム部の先端側近傍にはディスプレイ装置において往復運動をするディスプレイ要素を固定するための穴が設けられている。
【０００８】
アーム連結部６０は、第３クランクアーム３３の固定軸４０に固定されている端部と、アーム部５０の固定軸４０に固定されている端部同士を摩擦により連結するものである。図３に、固定軸４０部分の拡大縦断面図を示す。アーム連結部６０は中央に穴の開いた円筒形のゴムからなる摩擦付与体６１と、固定軸４０を構成する雄ねじ４１とから構成される。摩擦付与体６１を構成するゴムは摩擦力を付与するとともに変形に強いウレタンゴムなどを採用することができる。摩擦付与体４１は固定軸４０においてアーム部５０と第３クランクアーム３３との間に設けられ、雄ねじ４１を締めることでアーム部５０と第３クランクアーム３３との間に圧縮狭持されることとなり、これによりアーム部５０と第３クランクアーム３３を摩擦により連結することができる。また、雄ねじ４１の締めつけ量を調節することでこの摩擦力を適宜調節することができる。この摩擦力は、アーム部５０が固定した場合には、モーター２０の力で容易に第３クランクアーム３３及び／又はアーム部５０とが相対的に摩擦付与対６１に対して摺動する程度のものとしておく。
ストッパー７０はアーム部５０のずれを規制する規制部材であり、第３クランクアーム３３による所定回転角内の回動により想定されるアーム部５０の往復運動軌道の両最外部位置（軌道が形成する扇形の両縁部）のそれぞれに当接するか、もしくは、わずかに当接しないように近接する、本体部１０の板体１１に固定される棒体から構成される。
【０００９】
次に、以上のような構成を有するディスプレイ装置Ｘの動作について、説明する。使用に際しては、アーム部５０の先端部に図４に示すように、ディスプレイするディスプレイ要素８０を固定する。ディスプレイ要素８０はホルダーにより固定したり、ボルトとナットにより固定したりする等種々の方法で取り付けることができる。また、場合によってはディスプレイ要素８０をアーム部５０と一体に形成してもよい。
このような状態でモーター２０を作動すると、クランク３０により固定軸４０部分で第３クランクアーム３３の端部が往復回転運動をし、これにアーム連結部６０により連結されているアーム部５０も往復運動を行う。これによりアーム部５０に固定されるディスプレイ要素８０も往復運動をすることとなる。ここで、ディスプレイ要素８０を人がつかんだとすると、ディスプレイ要素８０及びこれを固定するアーム部５０は固定されることとなる。モーター２０は回転を続けるので、クランク３０も動作を続けようとする結果、固定軸４０のアーム連結部６０において第３クランクアーム３３の端部とアーム部５０との間に一定の力が発生し、アーム連結部６０の摩擦付与部６１と第３クランクアーム３３の端部及び／又はアーム部５０の端部とが滑り摺動する。これにより、ディスプレイ要素８０を人がつかんだとしても、モーター２０からの動力はほとんど伝達せず、また、モーターに過度の負担をかけることもない。
【００１０】
ここで、人がディスプレイ要素８０を離したとすると、再び摩擦力により第３クランクアーム３３の端部とアーム部５０の端部はアーム連結部６０により連結し、アーム部５０は再び動き出す。しかし、アーム部５０と第３クランクアーム３３との位置は図２の点線で例示するように、ほとんどの場合、当初の位置関係とは変わってしまっている。このずれた位置関係はストッパー７０により矯正される。具体的に説明すると、例えば、図２の点線に示すように右側にアーム部５０がずれた場合、右側にアーム部５０が揺動すると、アーム部５０の右側縁部が一方のストッパー７０に当接し動きを規制される。これにより、やはりアーム部５０が人に掴まれた場合と同様にアーム連結部６０が滑り、固定軸部４０では第３クランクアーム３３の端部が回動する一方、アーム部５０は動かない状態を維持することとなる。やがて第３クランクアーム３３の端部が最も右方向に回動し、その後、左に回動方向を転じるとアーム部５０の回動方向も左に変わり、ストッパー７０による規制がなくなるので、再びアーム連結部６０によりアーム部５０と第３クランクアーム３３とは連結することとなる。ストッパー７０の位置は、想定されるアーム部５０の往復運動軌道の両最外部（軌道が形成する扇形の両縁部）に当接する位置、もしくは、近接する位置であり、第３クランクアーム３３の固定軸４０側端部がほぼ最も外側に回動した位置で、アーム部５０がと連結するので、アーム部５０はほぼ適正な位置で第３クランクアーム３３と連結することとなる。いうまでもなく、左側にアーム部５０がずれた場合も逆側で同様の動作によりアーム部５０の第３クランクアーム３３との取り付け位置は矯正されることになる。
【００１１】
なお、上記実施形態ではアーム連結部６０の摩擦力付与体４１をゴムにより形成したが、図５（ａ）に示すように摩擦力付与体６１ａをコイルバネ６１ａａとゴム板６１ａｂとにより構成してもよい。また、図５（ｂ）に示すようにコイルバネに変えてに板バネ６１ｂａを使用する等バネの種類は任意に採用することができる。このように弾性体と摩擦係数が大きくなる部材との組み合わせにより摩擦力を付与するようにもできる。
さらに、アーム連結部６０において摩擦力を用いて連結することに変えて、磁力により連結するようにしてもよい。図５（ｃ）に磁力付与体６２として中央に穴の開いた円筒形の磁石６２ａを用いた場合を示す。この場合、アーム部５０および第３クランクアーム３３は鉄などの磁性体で構成するか、固定軸４０近傍のみに磁性体を貼り付けているものとする。このように磁石によりアーム部５０及び第３クランクアーム３３の端部を吸着し連結することによっても、摩擦力で連結する場合と同様の効果を得ることができる。なお、磁石を用いる場合は、図５（ｄ）に示すように、磁石の周りに金属キャップ６２ｂを付けて磁束漏れを防ぐようにしてもよい。
【図面の簡単な説明】
【００１２】
【図１】実施形態に係るディスプレイ装置を模式的に示す斜視図である。
【図２】実施形態に係るディスプレイ装置を模式的に示す正面図である。
【図３】実施形態に係るディスプレイ装置の回動軸近傍の拡大縦断面図である。
【図４】実施形態に係るディスプレイ装置の使用状態を示す斜視図である。
【図５】（ａ）〜（ｄ）はアーム連結部の変形例を示す拡大縦断面図である。
【符号の説明】
【００１３】
Ｘ    ディスプレイ装置
１０  本体部
２０  モーター
３０  クランク
３３  第３クランクアーム
４０  固定軸
５０  アーム部
６０  アーム連結部
７０  ストッパー
【図１】
0003148200.tif 000003
【図２】
0003148200.tif 000004
【図３】
0003148200.tif 000005
【図４】
0003148200.tif 000006
【図５】
0003148200.tif 000007